(57)【特許請求の範囲】
【請求項１】
相手ハウジングと嵌合可能なハウジングと、一端側が前記ハウジングに回動可能に軸支され他端側に操作部が設けられ回動により前記相手ハウジングと前記ハウジングとを嵌合させるレバーと、このレバーに係合し前記ハウジングに収容され前記レバーの回動により前記ハウジングと相手ハウジングとの嵌合方向と直交する方向に移動し嵌合力を付与するカム溝が設けられたスライダとを備えたコネクタであって、
前記ハウジングには、前記相手ハウジングとの嵌合方向と直交する方向の両端側に前記レバーを軸支する一対の軸支部が設けられていることを特徴とするコネクタ。
【請求項２】
請求項１記載のコネクタであって、
前記スライダは、前記ハウジング内を移動する方向と直交する方向の両側面の形状が対称に形成されていることを特徴とするコネクタ。
【請求項３】
請求項１又は２記載のコネクタであって、
前記レバーの操作部は、前記ハウジングと前記相手ハウジングとが嵌合した状態で、前記一対の軸支部のうち前記レバーを軸支していない軸支部の外周を覆うことを特徴とするコネクタ。
【請求項４】
請求項１乃至３のいずれか１項に記載のコネクタであって、
前記スライダは、前記ハウジング内を移動する方向の長さと前記レバーの回動による移動距離との合計が前記スライダが前記ハウジング内に収容されている範囲内に設定されていることを特徴とするコネクタ。
【発明の詳細な説明】
【技術分野】
【０００１】
本発明は、コネクタに関する。
【背景技術】
【０００２】
従来、コネクタとしては、図１０に示すように、相手ハウジング１０３と嵌合可能なハウジング１０５と、一端側がハウジング１０５に回動可能に軸支され他端側に操作部１０７，１０９が設けられ回動により相手ハウジング１０３とハウジング１０５とを嵌合させるレバーとしての第１，第２倍力部材１１１，１１３とを備えたものが知られている（例えば、特許文献１参照）。
【０００３】
このコネクタ１０１では、第１，第２倍力部材１１１，１１３とが、ハウジング１０５の相手ハウジング１０３との嵌合方向と直交する方向の中央部に設けられた軸部１１５で異なる方向に回動可能に軸支されている。
【０００４】
この異なる方向に回動する第１，第２倍力部材１１１，１１３には、相手ハウジング１０３に形成されたカムフォロア１１７と係合するカム溝としての第１，第２カム受け部１１９，１２１が嵌合方向と直交する方向に対称に設けられている。
【０００５】
このようなコネクタ１０１では、第１，第２倍力部材１１１，１１３の操作部１０７，１０９を異なる方向に回動させることにより、カムフォロア１１７と第１，第２カム受け部１１９，１２１とが係合し、相手ハウジング１０３をハウジング１０５に引き込む方向に嵌合力が付与され、相手ハウジング１０３が傾くことなく、低い操作力で相手ハウジング１０３とハウジング１０５とを嵌合させることができる。
【先行技術文献】
【特許文献】
【０００６】
【特許文献１】特開２０１１−２５８３６５号公報
【発明の概要】
【発明が解決しようとする課題】
【０００７】
しかしながら、上記特許文献１のようなコネクタ１０１では、第１，第２倍力部材１１１，１１３が異なる方向に回動されるので、ハウジング１０５の両側に第１，第２倍力部材１１１，１１３が回動するためのスペースを確保する必要があり、周辺部材の配置レイアウトによる制約を受ける恐れがあった。
【０００８】
そこで、この発明は、周辺部材の配置レイアウトによる制約を抑制することができるコネクタの提供を目的としている。
【課題を解決するための手段】
【０００９】
請求項１記載の発明は、相手ハウジングと嵌合可能なハウジングと、一端側が前記ハウジングに回動可能に軸支され他端側に操作部が設けられ回動により前記相手ハウジングと前記ハウジングとを嵌合させるレバーと、このレバーに係合し前記ハウジングに収容され前記レバーの回動により前記ハウジングと相手ハウジングとの嵌合方向と直交する方向に移動し嵌合力を付与するカム溝が設けられたスライダとを備えたコネクタであって、前記ハウジングには、前記相手ハウジングとの嵌合方向と直交する方向の両端側に前記レバーを軸支する一対の軸支部が設けられ、前記スライダは、前記ハウジング内を移動する方向と直交する方向の両側面の形状が対称に形成されていることを特徴とする。
【００１０】
このコネクタでは、ハウジングに、相手ハウジングとの嵌合方向と直交する方向の両端側にレバーを軸支する一対の軸支部が設けられているので、一対の軸支部のうちいずれか一方の軸支部にレバーを軸支させることにより、レバーの回動方向を異ならせることができる。
【００１１】
従って、このようなコネクタでは、周辺部材の配置レイアウトに合わせて、レバーの回動方向を選択することができ、周辺部材の配置レイアウトによる制約を抑制することができる。
【００１２】
請求項２記載の発明は、請求項１記載のコネクタであって、前記スライダは、前記ハウジング内を移動する方向と直交する方向の両側面の形状が対称に形成されていることを特徴とする。
【００１３】
このコネクタでは、スライダが、ハウジング内を移動する方向と直交する方向の両側面の形状が対称に形成されているので、複数のスライダを必要とする場合、１種類のスライダを共用化することができ、部品点数を削減することができる。
【００１４】
請求項３記載の発明は、請求項１又は２記載のコネクタであって、前記レバーの操作部は、前記ハウジングと前記相手ハウジングとが嵌合した状態で、前記一対の軸支部のうち前記レバーを軸支していない軸支部の外周を覆うことを特徴とする。
【００１５】
このコネクタでは、レバーの操作部が、ハウジングと相手ハウジングとが嵌合した状態で、一対の軸支部のうちレバーを軸支していない軸支部の外周を覆うので、レバーを軸支していない軸支部を保護することができると共に、レバーを軸支していない軸支部がレバーから張り出すことを防止できる。
【００１６】
請求項４記載の発明は、請求項１乃至３のいずれか１項に記載のコネクタであって、前記スライダは、前記ハウジング内を移動する方向の長さと前記レバーの回動による移動距離との合計が前記スライダが前記ハウジング内に収容されている範囲内に設定されている。
【００１７】
このコネクタでは、スライダのハウジング内を移動する方向の長さとレバーの回動による移動距離との合計が、スライダがハウジング内に収容されている範囲内に設定されているので、レバーの回動によってスライダがハウジング内を移動してもスライダがハウジング外に張り出すことを防止できる。
【発明の効果】
【００１８】
本発明によれば、周辺部材の配置レイアウトによる制約を抑制することができるコネクタを提供することができるという効果を奏する。
【図面の簡単な説明】
【００１９】
【図１】本発明の実施の形態に係るコネクタの分解斜視図である。
【図２】本発明の実施の形態に係るコネクタのハウジングの側面図である。
【図３】本発明の実施の形態に係るコネクタのスライダの側面図と正面図である。
【図４】本発明の実施の形態に係るコネクタの一方の軸支部にレバーを軸支させるときの斜視図である。
【図５】本発明の実施の形態に係るコネクタの一方の軸支部にレバーを軸支させたときの斜視図である。
【図６】本発明の実施の形態に係るコネクタの一方の軸支部にレバーを軸支させたハウジングに相手ハウジングを嵌合させたときの斜視図である。
【図７】本発明の実施の形態に係るコネクタの他方の軸支部にレバーを軸支させるときの斜視図である。
【図８】本発明の実施の形態に係るコネクタの他方の軸支部にレバーを軸支させたときの斜視図である。
【図９】本発明の実施の形態に係るコネクタの他方の軸支部にレバーを軸支させたハウジングに相手ハウジングを嵌合させたときの斜視図である。
【図１０】従来例のコネクタの断面図である。
【発明を実施するための形態】
【００２０】
図１〜図９を用いて本発明の実施の形態に係るコネクタについて説明する。
【００２１】
本実施の形態に係るコネクタ１は、相手ハウジング３と嵌合可能なハウジング５と、一端側がハウジング５に回動可能に軸支され他端側に操作部７が設けられ回動により相手ハウジング３とハウジング５とを嵌合させるレバー９と、このレバー９に係合しハウジング５に収容されレバー９の回動によりハウジング５と相手ハウジング３との嵌合方向と直交する方向に移動し嵌合力を付与するカム溝１１が設けられたスライダ１３とを備えている。
【００２２】
そして、ハウジング５には、相手ハウジング３との嵌合方向と直交する方向の両端側にレバー９を軸支する一対の軸支部１５，１７が設けられている。
【００２３】
また、スライダ１３は、ハウジング５内を移動する方向と直交する方向の両側面の形状が対称に形成されている。
【００２４】
さらに、レバー９の操作部７は、ハウジング５と相手ハウジング３とが嵌合した状態で、一対の軸支部１５，１７のうちレバー９を軸支していない軸支部の外周を覆う。
【００２５】
また、スライダ１３は、ハウジング５内を移動する方向の長さとレバー９の回動による移動距離との合計がスライダ１３がハウジング５内に収容されている範囲内に設定されている。
【００２６】
図１〜図９に示すように、コネクタ１は、ハウジング５と、相手ハウジング３と、レバー９と、スライダ１３とを備えている。
【００２７】
ハウジング５は、合成樹脂などの絶縁性材料からなり、筐体状に形成され、中央部に複数の端子（不図示）を収容する複数の端子収容室が形成された端子収容部１９が設けられている。この端子収容部１９の外周には、フレーム部２１が設けられている。
【００２８】
フレーム部２１は、長方形の筒状に形成され、中央部に端子収容部１９が位置するように端子収容部１９と一体に形成されている。このフレーム部２１の幅方向両側には、それぞれスライダ収容溝２３，２３が設けられている。
【００２９】
複数（ここでは２箇所）のスライダ収容溝２３は、フレーム部２１の幅方向の両側にフレーム部２１の長さ方向に沿ってそれぞれ設けられている。この複数のスライダ収容溝２３は、フレーム部２１の上面側が開口され、フレーム部２１の下面側が閉塞されるようにＵ字状に形成され、それぞれのスライダ収容溝２３が同一形状となるように設定されている。
【００３０】
この複数のスライダ収容溝２３の内部には、それぞれ上下方向の２箇所にハウジング５の長さ方向に沿ってスライダ収容溝２３の内方に向けて突部２５が突設されている。また、複数のスライダ収容溝２３の上面側の開口縁部には、それぞれハウジング５の長さ方向の２箇所にスライダ１３を仮止めする仮止突起２７がスライダ収容溝２３の内方に向けて突設されている。
【００３１】
このようなスライダ収容溝２３の上面側には、相手ハウジング３との嵌合方向と直交する方向であるハウジング５の長さ方向の両端側に、レバー９の軸部２９に係合してレバー９をハウジング５に対して回動可能に支持する一対の軸支部１５，１７が設けられている。なお、スライダ収容溝２３の下面側には、相手ハウジング３のカムフォロア（不図示）を挿入可能に開口された複数（ここでは２箇所）の開口部（不図示）が設けられている。
【００３２】
このようなハウジング５のフレーム部２１には、相手ハウジング３が挿入され、フレーム部２１の中央部に位置する端子収容部１９に対して相手ハウジング３が嵌合される。
【００３３】
相手ハウジング３は、合成樹脂などの絶縁性材料からなり、ハウジング５の端子収容部１９よりも大きな筐体状に形成され、内部に端子収容部１９に収容された複数の端子に接続される複数の相手端子（不図示）が収容されている。
【００３４】
この相手ハウジング３の上下面には、ハウジング５のスライダ収容溝２３の開口部に挿入されると共に、スライダ１３のカム溝１１に係合される複数（ここでは２箇所）のカムフォロア（不図示）がそれぞれ突設されている。
【００３５】
このような相手ハウジング３は、ハウジング５の複数のスライダ収容溝２３内にそれぞれ複数のスライダ１３を収容した状態で、カムフォロアをスライダ収容溝２３の開口部に挿入するようにハウジング５のフレーム部２１内に挿入され、レバー９の回動によってカムフォロアとスライダ１３のカム溝１１とが係合しながらハウジング５の端子収容部１９と嵌合され、複数の端子と複数の相手端子とが接続される。
【００３６】
レバー９は、合成樹脂などの絶縁性材料からなり、一端側の両側面からそれぞれ内方に向けて軸部２９が突設され、他端側に両側面を連結するように操作部７が設けられている。また、レバー９には、一端がレバー９の両側面に回動可能に軸支され、他端にスライダ１３の被係合部３５に係合される係合部３１が突設された連動部材３３が設けられている。
【００３７】
このレバー９は、軸部２９をハウジング５の一対の軸支部１５，１７のうちいずれか一方に係合することによりハウジング５に回動可能に組付けられる。このハウジング５に組付けられたレバー９は、相手ハウジング３のカムフォロアがスライダ１３のカム溝１１に挿入された状態、すなわちハウジング５の端子収容部１９と相手ハウジング３との仮嵌合状態で、操作部７を押圧操作することにより回動し、てこ作用によって端子収容部１９と相手ハウジング３とを正規嵌合状態とさせる。
【００３８】
このとき、レバー９の操作部７は、一対の軸支部１５，１７のうち他方の外周を覆うように配置される。これにより、他方の軸支部が外部に露出することがなく、他方の軸支部を保護することができると共に、他方の軸支部がレバー９の外部に張り出すことを防止できる。
【００３９】
複数のスライダ１３は、合成樹脂などの絶縁性材料からなり、薄板状に形成され、上面側にレバー９の連動部材３３の係合部３１に係合可能な被係合部３５が設けられると共に、中央部の２箇所に相手ハウジング３のカムフォロアと係合可能なカム溝１１が設けられている。
【００４０】
また、複数のスライダ１３は、ハウジング５のスライダ収容溝２３内を移動する方向であるスライダ１３の長さ方向と直交する方向の両側面の形状が対称に形成されている。詳細には、スライダ１３の両側面には、スライダ収容溝２３の突部２５と係合可能な溝部３７が上下方向の２箇所にスライダ１３の長さ方向に沿ってそれぞれ設けられている。
【００４１】
また、被係合部３５の基部側の両側面には、一端が閉塞され他端が開口され、スライダ１３をスライダ収容溝２３に仮止めしたときに一端側がスライダ収容溝２３の仮止突起２７に係合し、スライダ１３がスライダ収容溝２３内を移動するときに仮止突起２７が内部を摺動する仮止溝部３９がそれぞれ設けられている。
【００４２】
このようにスライダ１３の形状を設定することにより、複数種類の金型を用いることなく、１種類の金型によって複数のスライダ１３を成形することができ、部品点数を削減することができる。
【００４３】
加えて、スライダ１３は、ハウジング５内を移動する方向と直交する方向の両側面の形状が対称に形成されているので、移動方向に対してどちらの向きであってもスライダ１３をハウジング５に組付けることができ、レバー９の回動方向に合わせてスライダ１３のカム溝１１を配置させることができる。
【００４４】
このようなスライダ１３は、ハウジング５の側面側からスライダ収容溝２３内に収容され、スライダ収容溝２３内の突部２５とスライダ１３の溝部３７とが係合され、スライダ１３のスライダ収容溝２３内での移動が案内されると共に、スライダ１３がスライダ収容溝２３の上方から抜け出すことが防止される。
【００４５】
なお、スライダ１３の上側に位置する溝部３７がスライダ１３に設けられていない場合には、スライダ１３をハウジング５の上面側からスライダ収容溝２３内に収容してもよい。
【００４６】
このとき、スライダ１３の仮止溝部３９を閉塞する壁部側は、スライダ収容溝２３内のいずれか一方の仮止突起２７に係合され、スライダ１３のスライダ収容溝２３内での移動が規制され、スライダ１３がスライダ収容溝２３に対して仮組付状態となる。
【００４７】
このハウジング５に対するスライダ１３の仮組付状態で、スライダ１３の被係合部３５にレバー９の連動部材３３の係合部３１を係合させることにより、相手ハウジング３を嵌合させる前の待ち受け状態となる。
【００４８】
このハウジング５の待ち受け状態に対して相手ハウジング３を端子収容部１９に仮嵌合させ、レバー９を回動させることにより、相手ハウジング３のカムフォロアとスライダ１３のカム溝１１とが係合し、スライダ１３がスライダ収容溝２３内を移動しつつ、てこ作用によって端子収容部１９と相手ハウジング３とが正規嵌合状態となる。
【００４９】
ここで、スライダ１３は、ハウジング５内を移動する方向の長さとレバー９の回動による移動距離との合計がスライダ１３がハウジング５内に収容されている範囲内に設定されている。
【００５０】
詳細には、スライダ１３の長さをＬ１とし、スライダ１３のレバー９の回動による移動距離をＬ２とし、スライダ１３がハウジング５内に収容されている範囲、すなわちハウジング５のスライダ収容溝２３の長さをＬ３とした場合、Ｌ１＋Ｌ２≦Ｌ３となるように設定されている。
【００５１】
このような設定により、レバー９の回動によってスライダ１３がハウジング５のスライダ収容溝２３内を移動しても、スライダ１３がハウジング５の外部に張り出すことがなく、スライダ１３を常時、ハウジング５内に収容しておくことができる。
【００５２】
このように構成されたコネクタ１では、図４〜図６に示すように、レバー９の軸部２９をハウジング５の一対の軸支部１５，１７のうち一方の軸支部１５に係合させる場合、スライダ１３の被係合部３５を一方の軸支部１５に近接するように配置させ、スライダ１３をハウジング５のスライダ収容溝２３内に挿入する。
【００５３】
次に、一方の軸支部１５にレバー９の軸部２９を係合させ、スライダ１３の被係合部３５にレバー９の連動部材３３の係合部３１を係合させ、相手ハウジング３を嵌合させる前の待ち受け状態とさせる。
【００５４】
そして、相手ハウジング３をハウジング５の端子収容部１９に仮嵌合させ、レバー９の操作部７を下方に向けて押圧操作してレバー９を回動させ、端子収容部１９と相手ハウジング３とを嵌合させる。このとき、レバー９の操作部７は、他方の軸支部１７の外周を覆う。
【００５５】
一方、図７〜図９に示すように、レバー９の軸部２９をハウジング５の一対の軸支部１５，１７のうち他方の軸支部１７に係合させる場合には、スライダ１３の被係合部３５を他方の軸支部１７に近接するように配置させ、スライダ１３をハウジング５のスライダ収容溝２３内に挿入する。
【００５６】
次に、他方の軸支部１７にレバー９の軸部２９を係合させ、スライダ１３の被係合部３５にレバー９の連動部材３３の係合部３１を係合させ、相手ハウジング３を嵌合させる前の待ち受け状態とさせる。
【００５７】
そして、相手ハウジング３をハウジング５の端子収容部１９に仮嵌合させ、レバー９の操作部７を下方に向けて押圧操作してレバー９を回動させ、端子収容部１９と相手ハウジング３とを嵌合させる。このとき、レバー９の操作部７は、一方の軸支部１５の外周を覆う。
【００５８】
このようなコネクタ１では、ハウジング５に、相手ハウジング３との嵌合方向と直交する方向の両端側にレバー９を軸支する一対の軸支部１５，１７が設けられているので、一対の軸支部１５，１７のうちいずれか一方の軸支部にレバー９を軸支させることにより、レバー９の回動方向を異ならせることができる。
【００５９】
従って、このようなコネクタ１では、周辺部材の配置レイアウトに合わせて、レバー９の回動方向を選択することができ、周辺部材の配置レイアウトによる制約を抑制することができる。
【００６０】
また、スライダ１３は、ハウジング５内を移動する方向と直交する方向の両側面の形状が対称に形成されているので、複数のスライダ１３を必要とする場合、１種類のスライダ１３を共用化することができ、部品点数を削減することができる。
【００６１】
さらに、レバー９の操作部７は、ハウジング５と相手ハウジング３とが嵌合した状態で、一対の軸支部１５，１７のうちレバー９を軸支していない軸支部の外周を覆うので、レバー９を軸支していない軸支部を保護することができると共に、レバー９を軸支していない軸支部がレバー９から張り出すことを防止できる。
【００６２】
また、スライダ１３は、ハウジング５内を移動する方向の長さとレバー９の回動による移動距離との合計が、スライダ１３がハウジング５内に収容されている範囲内に設定されているので、レバー９の回動によってスライダ１３がハウジング５内を移動してもスライダ１３がハウジング５外に張り出すことを防止できる。
【００６３】
なお、本発明の実施の形態に係るコネクタでは、レバーの軸部が、レバーの両側面にそれぞれ設けられているが、これに限らず、両側面を連結するように軸部を設けてもよい。
【００６４】
また、スライダは、ハウジング内を移動する方向と直交する方向の両側面の形状が対称に形成されているが、これに限らず、スライダの両側面を非対称となるように形成してもよい。
【符号の説明】
【００６５】
１…コネクタ
３…相手ハウジング
５…ハウジング
７…操作部
９…レバー
１１…カム溝
１３…スライダ
１５，１７…軸支部
【図１】
0006499023.tif 000002
【図２】
0006499023.tif 000003
【図３】
0006499023.tif 000004
【図４】
0006499023.tif 000005
【図５】
0006499023.tif 000006
【図６】
0006499023.tif 000007
【図７】
0006499023.tif 000008
【図８】
0006499023.tif 000009
【図９】
0006499023.tif 000010
【図１０】
0006499023.tif 000011